(57)【要約】      （修正有）【課題】軟質性と防水性の素材に防火性を持たせ容易に着脱できる様に軽量化し擦り傷等を残さず、洗車時カバーの洗浄も同時に行え、硬質固形固体物や磁器シート、吸着器具を用いない車カバー。【解決手段】軟質性と防水性の素材を用い難燃性合成繊維布等を施し、防火性を持たせ、本体Ａ１を、各車規格に形成した本体をカバーとし厚みを持たせ、Ａ２袖カバー４は同材質の薄地で軟弱性を持たせ、全体を覆わず、本体側面を部分的にカバーで一部を覆う短幅で最も強い日射の時間帯を遮断する。車内荒し防止から窓側は、外部から車内が見える様に一部分を覆う様形成し、通常車は前端の両側を固定具で止め後端はトランクは開閉出来る様、リアガラス５下の側面の車体に伸縮性固定具１０で止め固定する。本体側面の窓側袖カバーＡ２は本体の両端の両面ハトメ釦と窓側袖カバーの両端にある両面ハトメ釦に紐を通し軟質管に通し二本の紐をバックミラを介し管を絞り張り調整を定め固定する。【選択図】図１
0003103536.tif 000002
【実用新案登録請求の範囲】
【請求項１】
車体全体を覆わず、軟質性の防水性素材を用い難燃性合成繊維布等を施し防火性を持たせ【図１、Ａ１】に示す黒太線を本体カバーとして、各車種規格に形成した本体をカバーとした【図１、Ａ１】矢印で示す本体に厚みを持たせ、蛇腹状に施しボンネット上面部分から後端トランク上面部分を覆い、トランクが開閉出来る様後部側面で伸縮性の固定具のフックで固定し【図１、Ａ２】に示す窓側側面カバーは同材質薄地を用い、盗難予防上の一環とし、車内が見える様、最も日射の強い時間帯を遮断する軟弱性の短幅で一部を覆い、前端と後端を固定し、本体と側面の袖カバーを二本の紐をチュウブ管に通し側面の張調整を管で絞り通した紐を管の後方で結び、三角状、或いはバックミラの下側を二本の紐を介し固定し。又ルーフスポイラ車等【図１、１４】の細線の様に一部分に切り目を入れ各形状に合わせ挿入するかそのまま装着出来。ハッチバック型車は【図６】【図７】の様に、本体カバーを装着し【図１、１２】側面に着け変えられる様に前端と後端に固定用両面ハトメ釦を施し、脱着時は前端後端で袖の両端を【図１、８】【図３】【図６】に示す車体のバックミラの固定を外し、側面の袖は【図４】【図５】に示す様に軟弱で、内外に畳む事なく前端、後端側のいずれかの固定具のフックを外すだけで、折畳む時止められている固定具は重みで外れ、袖も同時に本体に添って【図４】の様に畳まれ収納出来る各車規挌に合わせ形成する乗用車の車カバー
【考案の詳細な説明】
【技術分野】
【０００１】本考案は直射日光遮断、降雨後汚れ積雪除去及びフロントガラスの氷結を防止する上面と側面一部を覆う自動車カバー
【背景技術】
【０００２】
【登、３０４９４４３】
多層式断熱材で形成され中間部と両端のカバーに区分し中間部中間の後端に粘着帯を設け多層断熱材料の前端と後端に硬質体で固定され、中間部に複数の吸着盤で固定しガラス全体を覆うカバーで、前端にある硬質体の上にハンドルが設けられ、水平方向と垂直に折り線等を施し、側面カバーを本体に畳み収納する構造からなる車両保護カバーであり、ガラス面だけを覆い又磁器等を使用した物、着脱収納にも操作が多く、全ての固定器具を外す手間隙の掛かかる操作を有し、且固定箇所も多く重量も重く労を費やし面倒でもある。
【考案の開示】
【考案が解決しようとする課題】
【０００３】本考案は、固形固体具や磁器ゴムや吸着器具などを使用せず、軽量と簡単に操作出来る様、各車種の形状規格に合わせ断熱効果の軟質性で防水性で軽量な素材を用い難燃性合成布地を施し、放火防止と車内荒らし防止と、車内への直射日光の遮断と着脱の簡易と擦り傷を押さえ、カバーの汚れの洗浄と車体の洗車の簡易を持たせた一種の車カバーとして格安で入手使用出来る利便性を計った。
【課題を解決する為の手段】
【０００４】本体カバーを軟質性と防水性の素材に、難燃性合成繊維布等を施し軽量を計り
【図１，Ａ１】
本体は厚みを持たせ、先端ボンネットの上面から後部トランクの上面迄覆い、本体カバーの側面窓側は最も強い日射時間帯を遮断し得る短幅袖カバー
【図１，Ａ２】
で覆う軟弱性の薄地を用い、ボンネットの上面を覆い、通常車は後部トランク上面のみ覆い、トランクが開け閉め出来る様側面で、フック付き伸縮性器具を用い、ルーフに有るスポイラ車は
【図１、１３】
に示す点線の様に型式に合わせ切目をいれ挿入も出来る素材で、又そのまま装着も出来る。ハッチバック車等は
【図６】
【図７】
の様に本体カバーで装着し収納時畳める様、各車種規格に合わせ間隔で蛇腹状にし、装着時本体カバーを車体下部に固定し側面袖カバー両端を張り調整の紐を絞りバックミラを介し固定後、その都度外す事無く収納時前端か後端の固定具を外し、側面カバーを内外に畳む必要は無く、バックミラの固定紐を外す事で折り畳めカバーがずれ後部固定具はフックの重みで外れ
【図４】
側面カバーも本体を畳む状態で折り畳まれ収納出来る様、利便性を持たせた。
【考案の効果】
【０００５】カバー本体は軟質性と防水性の素材に表裏に難燃性合成繊維布等を施した燃えにくく、又雨や水分を吸収せず弾き、頻繁に着脱しても擦り傷もなりにくく、室内の直射日光を遮断し降雨時カバーで覆はれたボンネットフロントガラス等に雨跡を残さず、降雪時積雪も各固定バンドを外し窓側側面から本体カバーを引寄せ除雪し、積雪のまま走行せずに済み、若干の降雪も、有る程度落とし側面から本体を引き寄せ除雪でき、フロントガラスの氷結も防止でき、洗車の時カバーが降雨後の汚れもカバー装着のままカバーに放水し洗い落して取外し裏側を放水洗いし立掛け、洗車後カバーの表裏も此の間に乾き装着出来、収納時本体は蛇腹状で袖は極薄で軟弱の為、蛇腹を施す必要が無いカバーの構造で、その都度側面を裏表に畳む事無く、本体の前端と後端が
【図４】
の様に袖カバーを、必然的に畳込む様な形状になり、前端か後端のいずれかの固定フック外しバックミラの固定紐を外す事で、そのまま収納作業を簡易にした。
【考案を実施する為の最良の形態】
【０００６】屋外に保管する車も、軟質性の素材は概ね密着し、東西向きを問わず車内の直射日光を遮断し、且つ軽量で、洗車時装着したカバーの表面部分を放水で洗い流し、固定具を外し、裏側を洗い流し、洗車を終える頃はカバーは乾き装着出来、前端、後端の
【図１、１１】
の伸縮性フック付きバンドで固定し
【図１、Ａ１、Ａ２】
の張り調整紐を
【図１、１３】
の軟質チュウブ管に通した紐を管で絞り張り調整しバックミラを介し固定する。強風に耐える様伸縮性の固定具を用い、強風でも擦り傷にならぬ様、メーカで異なるボンネットの長短に対応出来る様，又強度を保つ様に両面ハトメ釦をカバーに施してあり、伸縮性フック付き固定具を両面ハトメ釦に付け替えられる様に、又本体カバーは軟質性素材で、鋏を入れる事も、カッタで切目を入れる事も出来、外部から車内が見え盗難防止と、難燃性の繊維布を施してあるから燃えにくく、脱着も前端、後端のいずれかの固定フックを外しバックミラの固定紐を外す事で前端、後端のフックを外した側から収納出来る。
【実施例】
【０００７】晴天日、自宅保管場所はやや南北に向き午前午後日射しが最も強くカバーを装着した窓側袖カバーは短幅で、室内が見える中、午前１０時頃から午後３時頃の間、家庭用の温度計を用い計測した結果、車内の温度は２７度を示していた。又降雨の汚れ跡も降雪排除も本体カバーの固定具を外しリーフ上の本体を側面から引く事で排除出来、又フロントガラスの氷結も無く、洗車時カバーを装着し放水洗浄し取外し裏側を放水で洗い立て掛け洗車後、水滴が有る場合拭きとれ、即装着出来、袖を内外に畳込む事なく、本体カバーが挟み込む様な状態で折り畳まれ収納出来、袖部分は軟弱であるから頻繁に使用する場合、屋外駐車時トランクに収納するか、敷地内であれば、所定の場所に保管して置く事で利便性を生かし覆われた部分に擦り傷も見られない。
【図面の簡単な説明】
【０００８】
【図１】  カバーの平面図で、本体と側面のカバーの状態。
【図２】  １のチュウブ管に二本の固定紐を挿入バックミラを介し袖カバーを三角状に張り調整固定する状態。
【図３】  １のチュウブ管に通した紐を固定し、２のボンネット長短により固定位置を取り替える予備両ハトメ釦に取付け替える側面。
【図４】  本体Ａ１とＡ２の本体をＡ１の前端後端いずれからも折り畳もうとする時正面から見た本体と、Ａ２の側面袖カバーの状態。
【図５】  本体Ａ１を折り畳む、Ａ２の袖は極薄い為、本体に添い必然的に袖が畳まれる時の状態。
【図６】  本体カバーを畳んだ状態
【図７】  ハッチ型車に装着し、１のチュウブで固定しバックミラの下側に二本の紐を掛けて固定する状態で、後方はチュウブ管を絞り調整を定め、フック付き固定器具を、２の様に取り付けた状態。
【図８】  １、のチュウブ管でハッチバック型車に装着したカバーの後方２、のフック付固定具を取り付ける状態で、チュウブ管は必ず必要とせず、ゆとりを持たせて紐の両端を結び、フック付固定具を取り付ける状態。
【図９】  ルーフ後部にスポライ車の、同一の本体Ａ１カバーに切目を入れ差込み、１のチュウブ管で固定しようとする状態。
【図１０】  スポイラ車のスポイラを挿入する為の開閉窓口の細点線の様に切り込みをし矢線に示す、その部分を残し、１のチュウブ管を絞り２の様に更にフック付固定具を取り付ける時の状態。
【符号の説明】
【０００９】
【図１】
「平面図」
Ａ１，黒枠線が本体カバー、
Ａ２，両側側面の袖カバー
１，  ボンネット
２，  フロントガラス
３，  Ａ１本体カバー
４，  Ａ２，側面窓側袖カバー
５，  後部ガラス
６，  後部トランク
７，  スポイラ部分の切り込み後のカバー
８，  バックミラー
９，  側面袖カバー張り調整紐
１０，  伸縮フック付き固定器具
１１，  予備両面ハトメ釦
１２，  固定チュウブ管
１３，  スポイラ挿入切り込み口の細線
１４，  蛇腹線を入れる部分の鎖点線
【図１】
0003103536.tif 000003
【図２】
0003103536.tif 000004
【図３】
0003103536.tif 000005
【図４】
0003103536.tif 000006
【図５】
0003103536.tif 000007
【図６】
0003103536.tif 000008
【図７】
0003103536.tif 000009
【図８】
0003103536.tif 000010
【図９】
0003103536.tif 000011
【図１０】
0003103536.tif 000012
【手続補正書】
【提出日】平成16年3月1日(2004.3.1)
【手続補正１】
【補正対象書類名】明細書
【補正対象項目名】全文
【補正方法】変更
【補正の内容】
【考案の詳細な説明】
【技術分野】
【０００１】本考案はこれまでの硬質材の多層断熱材や固形固体物を構成する主体とし固定用具や吸着盤や磁器ゴム盤等を使用せず、極めて軟質な断熱防水性を持つ素材を用い軟質発泡合成樹脂系断熱防水性素材で装着時密着を計り、難燃性の対策を施し、車体の上面部分を保護し、最も陽射の強い時間帯の車内の日光遮遮断と、降雨跡の汚れやフロントガラスの氷結防止と、積雪の除雪と、カバ−の洗浄や洗車と着脱の簡便と手軽な安価を計り、車の型式に合わせる素材を用いて構造からなる車カバ−。
【背景技術】
【０００２】従来の車カバ−は多層式断熱材で形成された主体に複数条の水平方向と垂直方向に折り線が施されされ、側面カバ−を主体に折り重ね収納装着し、中間部分と両端のカバ−に区分され、中間部中間の後端に粘着帯を設け多層断熱材料の前端と後端に硬質体で固定され、中間部に複数の吸着盤で固定しガラス全体を覆うカバ−で、前端にある硬質体の上にハンドルが設けられ、水平方向と垂直に折り線等を施し、側面カバ−を本体に畳み収納する構造からなり前端と後端に一本の固定バンドで装着する車保護カバ−であり、ガラス面だけを覆い又磁器等を使用した物、着脱収納にも全ての固定器具を外しかなりの操作を有し、且つ固定箇所も多く労を費やし面倒でもある。
【特許文献１】実願登録第３０４９４４３号
【考案の開示】
【考案が解決しようとする課題】
【０００３】本考案は、固形固体具や磁器ゴム盤や吸着器具など本体カバ−に使用せず、軽量と簡便に着脱の操作が出来る様、車の形状に合わせ、軟質発泡合成樹脂系の断熱防水性の軽量素材を用い難燃性の対策を施し、最も陽射の強い一定時間帯、室内に直射日光を遮断し、車内荒し予防に車内が見えるカバ−の形状と着脱時、擦り傷等を押さえ降雨跡汚れ防止と洗車の簡便性を持たせ、安価に押さえ使用出来る素材で利便性を計った。
【課題を解決する為の手段】
【０００４】本体カバ−を軟質発泡合成樹脂系の断熱防水性の素材に、難燃性の対策を施し軽量化を計り「図１，Ａ１」の太線の形態を主体とする本体カバ−に厚みを持たせ、等間隔に蛇腹を施し、前端ボンネットの上面を覆いトランクの上面迄覆い、本体カバ−の側面窓側は最も強い陽射の強い一定の日射を遮断し得る「図１，Ａ２」に示す窓の約２分の１程度の幅で、本体より薄地を用いた形状の袖カバ−施し、前端は前方又は側面で伸縮性固定具で後端はトランクが開け閉め出来る様、後方側面でフック固定具で、ル−フ上にスポイラの有る車は「図１、１３」に示す点線の様に型式に合わせ切目をいれ挿入も出来る素材で、そのまま装着させ固定し、両側面のカバ−は本体カバ−の両前後に施した固定口に一本の紐を本体と袖側固定口に通し、軟質チュ−ブ管に紐の両端を通し輪状の紐をバックミラを介し管を絞り固定装着し、収納時バックミラの固定紐を管で緩めて外し、前端、後端のいずれかの固定具を外し、折畳むといずれかの固定具はずれ落ち、両側面のカバ−は「図４」の様な形状で本体に挟まれ折畳め収納出来る様に利便性を持たせた。
【考案の効果】
【０００５】カバ−本体は軟質発泡合成樹脂系断熱防水性の素材に表裏に難燃性の対策を施し、雨や水分を吸収せず弾き、頻繁に着脱しても固形物や吸着盤や磁器ゴム盤等使用していない為、擦り傷になりにくく室内への直射日光を遮断し、降雨跡汚れもボンネットフロントガラス等に雨跡汚れを残さず、降雪後積雪時、収納する場合、各固定器具を外し窓側から本体カバ−を引寄せるとル−フ上の積雪も払い落とせ、若干の降雪も箒様の物で払い落とす時、車体に傷等を着けず、側面から本体カバ−を引寄せる事で払い落せ、車上に戴雪し走行せずに済み、氷結も防止でき、洗車の時、装着のまま放水しカバ−を洗い取外し、洗車後カバ−の裏を拭き装着でき収納時は、本体は蛇腹状で袖カバ−は薄地で軟弱の為、その都度側面を裏表に畳む必要なく、本体を畳む時袖カバ−は「図４」に示す形状で必然的に挟まれ全体を収納出でき、着脱作業を簡便にした。
【考案を実施する為の最良の形態】
【０００６】屋外駐車場で保管する車も、軟質発泡合成樹脂系断熱防水性の素材である為車体に密着し、東西南北を問わず車内への直射日光を遮断し、且つ両側面のガラス窓から車内が見え、車内荒しの予防になり。装着する時、前端と後端の両端の伸縮性フック付き固定具で固定し、両側面の窓側袖カバ−の前端と後端の固定穴と本体両側面の固定穴に紐を通し、輪状にし紐の先端を軟質のチュウブ管に通しバックミラを介し管を絞り張り調整し固定する。強風が予想される場合、前端側面の予備固定口に更に固定具を取付ける事によって装着を維持出来る。又車種によって短いボンネットは固定器具を予備固定口に着け替えられる様にしてあり、又本体カバ−は軟質性素材でル−フ上に凹凸が有る場合、鋏やカッタで切目を入れる事も出来、難燃性を持たせてあるから、極めて安全であり。脱着も前端、後端のいずれかの固定フックを外しバックミラの固定紐を外す事で前端、後端のいずれかのフックを外した側から収納出来る様にした。
【実施例】
【０００７】晴天日、自宅敷地内に保管している場所は、やや南北向きの位置に有り最も陽射が強く、カバ−を装着した時、袖カバ−は窓ガラスの約２分の１程の車内が見える短幅のカバ−で、午前１０時頃から午後３時頃迄の間、家庭用の温度計を用い計測した結果、車内の温度は２７ｃ度を示していた。又降雨跡の汚れ跡も積雪時除雪も本体カバ−の固定具を外しリ−フ上の本体を側面から引く事で排除出来、若干の積雪時箒で有る程度ボンネットとトランク上の積雪を除雪する時、傷を着ける恐れも無く除雪ができ、又フロントガラスの氷結も無く、夏場の洗車時カバ−を装着し放水洗いし取外し裏側を放水で洗い立て掛け、洗車後即装着出来、袖を内外に畳込む事なく、本体カバ−が挟み込む様な状態で折り畳まれ人を介せず収納出来、袖部分は軟弱であるから頻繁に使用する場合、屋外駐車時トランクに収納するか、敷地内であれば、所定の場所に保管して置く事で利便性が有る。
【図面の簡単な説明】
【０００８】
【図１】  カバ−の平面図で、本体と側面のカバ−の状態。
【図２】  １のチュウブ管に二本の固定紐を挿入バックミラを介し袖カバ−を三角状に張り調整固定する状態。
【図３】  １のチュウブ管に通した紐を固定し、２のボンネット長短により固定位置を取り替える予備両ハトメ釦に取付け替える側面。
【図４】  本体Ａ１とＡ２の本体をＡ１の前端後端いずれからも折り畳もうとする時正面から見た本体と、Ａ２の側面袖カバ−の状態。
【図５】  本体Ａ１を折り畳む、Ａ２の袖は極薄い為、本体に添い必然的に袖が畳まれる時の状態。
【図６】  本体カバ−を畳んだ状態
【図７】  ハッチ型車に装着し、１のチュウブで固定しバックミラの下側に二本の紐を掛けて固定する状態で、後方はチュウブ管を絞り調整を定め、フック付き固定器具を、２の様に取り付けた状態。
【図８】  １、のチュウブ管でハッチバック型車に装着したカバ−の後方２、のフック付固定具を取り付ける状態で、チュウブ管は必ず必要とせず、ゆとりを持たせて紐の両端を結び、フック付固定具を取り付ける状態。
【図９】  ル−フ後部にスポライ車の、同一の本体Ａ１カバ−に切目を入れ差込み、１のチュウブ管で固定しょうとする状態。
【図１０】  スポイラ車のスポイラを挿入する為の開閉窓口の細点線の様に切り込みをし矢線に示す、その部分を残し、１のチュウブ管を絞り２の様に更にフック付固定具を取り付ける時の状態。
【符号の説明】
【０００９】Ａ１，  黒枠線が本体カバ−、
Ａ２，  両側側面の袖カバ−
１，  ボンネット
２，  フロントガラス
３，  Ａ１本体カバ−
４，  Ａ２，側面窓側袖カバ−
５，  後部ガラス
６，  後部トランク
７，  スポイラ部分の切り込み後のカバ−
８，  バックミラ−
９，  側面袖カバ−張り調整紐
１０，  伸縮フック付き固定器具
１１，  予備両面ハトメ釦
１２，  固定チュウブ管
１３，  スポイラ挿入切り込み口の細線
１４，  蛇腹線を入れる部分の鎖点線
【手続補正書】
【提出日】平成16年3月1日(2004.3.1)
【手続補正１】
【補正対象書類名】実用新案登録請求の範囲
【補正対象項目名】全文
【補正方法】変更
【補正の内容】
【実用新案登録請求の範囲】
【請求項１】
軟質発泡性合成樹脂系の断熱防水性素材を用い難燃性の対策を施し、車体全体を覆う事なく、自動車のボンネット前端上面部分からルーフを経て後端トランク上面部分に戴置させる構造を本体カバーとし、側面の窓ガラスは同材質で本体より薄地を用い、２分の１まで垂れ下がる様に覆い、更に本体カバーが折り畳める様に蛇腹状に施し、本体カバーの前端両側と後端両側に伸縮性の固定具を取付け、両側袖カバーの前後両端に設けた固定穴と本体カバーの両側面の前後に施した固定穴に１本の紐を通し、紐の両端をチューブ管に通しバックミラーを介し管を絞り袖カバーを張り調整し固定装着させ、収納時側面は薄地であり袖カバーを内外に畳む事なく、本体カバーを折り畳むと本体に挟まれる形状で、収納出来る事を特徴とする自動車カバー。